(57)【要約】【課題】光変調装置を効率良く冷却すると共に、小型のプロジェクターを提供する。【解決手段】プロジェクターは、空気を吸入する吸入口、および空気を送出する送出口を有する第１ファンと、送出口から送出された空気を光変調装置３４に導く第１流路６Ｓａと、光変調装置３４を冷却した空気を流通させる第２流路６Ｓｂと、第２流路６Ｓｂを流通した空気を吸入口に導く第３流路６Ｓｃと、第３流路６Ｓｃ内の熱を放熱するヒートシンク５１２と、を備える。投写光学装置の光軸の方向に直交する方向を第１方向、光軸の方向及び第１方向に直交する方向を第２方向としたとき、第１流路６Ｓａは、投写光学装置に対して第１方向における一方側に配置され、第２流路６Ｓｂは、投写光学装置に対して第１方向における他方側に配置され、第３流路６Ｓｃは、投写光学装置に対して第２方向における一方側に配置されている。【選択図】図９
2019040074.tif 000002
【特許請求の範囲】
【請求項１】
光源、光変調装置、および投写光学装置を備えたプロジェクターであって、
空気を吸入する吸入口、および空気を送出する送出口を有する第１ファンと、
前記送出口から送出された空気を前記光変調装置に導く第１流路と、
前記光変調装置を冷却した空気を流通させる第２流路と、
前記第２流路を流通した空気を前記吸入口に導く第３流路と、
前記第３流路内の熱を放熱するヒートシンクと、
を備え、
前記投写光学装置の光軸の方向に直交する方向を第１方向、前記光軸の方向及び前記第１方向に直交する方向を第２方向としたとき、
前記第１流路は、前記投写光学装置に対して前記第１方向における一方側に配置され、
前記第２流路は、前記投写光学装置に対して前記第１方向における他方側に配置され、
前記第３流路は、前記投写光学装置に対して前記第２方向における一方側に配置されていることを特徴とするプロジェクター。
【請求項２】
請求項１に記載のプロジェクターであって、
前記ヒートシンクは、
前記第３流路内に配置され、前記第３流路における空気の流通方向に沿って延出する複数の第１フィンと、
前記複数の第１フィンに熱伝導可能に接続され、前記第３流路の外部に露出する放熱部と、
を有していることを特徴とするプロジェクター。
【請求項３】
請求項２に記載のプロジェクターであって、
前記投写光学装置は、前記光軸を中心軸とする円筒状の外面を有し、
前記複数の第１フィンは、先端が前記外面に沿うように、円弧状に形成されていることを特徴とするプロジェクター。
【請求項４】
請求項２または請求項３に記載のプロジェクターであって、
前記放熱部は、前記複数の第１フィンが延出する方向に対して交差する方向に延出する複数の第２フィンを有していることを特徴とするプロジェクター。
【請求項５】
請求項４に記載のプロジェクターであって、
前記複数の第２フィンに空気を送出する第２ファンを備え、
前記第２ファンは、前記複数の第２フィンが延出する方向において前記複数の第２フィンに並設されていることを特徴とするプロジェクター。
【請求項６】
請求項５に記載のプロジェクターであって、
前記光源は半導体レーザーを有し、
前記半導体レーザーが発光した光の波長を変換する波長変換素子が設けられ、
前記複数の第２フィンに流通した空気を、前記波長変換素子を冷却するように導く導風部を備えることを特徴とするプロジェクター。
【発明の詳細な説明】
【技術分野】
【０００１】
本発明は、プロジェクターに関する。
【背景技術】
【０００２】
従来、光源、光変調装置、および投写光学装置を備え、スクリーン等の投写面に画像を投写するプロジェクターが知られている。プロジェクターは、光源から射出された光が入射する光変調装置の発熱が顕著になるため、この光変調装置の効率的な冷却が望まれている。そして、この光変調装置を冷却する技術として、空気を循環させる方法を用いたプロジェクターが提案されている（例えば、特許文献１参照）。
【０００３】
特許文献１に記載のプロジェクターは、光変調装置を冷却する空冷ユニットを備える。
空冷ユニットは、循環ファンと、光変調装置を収納する光学部品用筐体とともに環状の空気流通路を構成する複数のダクト部材（下流側ダクト部材、接続ダクト部材、および上流側ダクト部材）と、熱交換器とを備える。
循環ファンは、環状の空気流通路に空気を循環させる。下流側ダクト部材は、光学部品用筐体内部における光変調装置の配置位置の空間から流れた空気を接続ダクト部材に導く。接続ダクト部材は、光学部品用筐体の背面側に配設され、下流側ダクト部材内部を流通した空気を上流側ダクト部材に導く。上流側ダクト部材は、光学部品用筐体の下方側に配設され、循環ファンを収納するとともに、接続ダクト部材内部を流通した空気を光変調装置の配置位置の空間に導く。熱交換器は、接続ダクト部材に設置され、接続ダクト部材内の空気の熱を受熱し、外部に放熱する。
【先行技術文献】
【特許文献】
【０００４】
【特許文献１】特開２００９−１３３９８９号公報
【発明の概要】
【発明が解決しようとする課題】
【０００５】
しかしながら、特許文献１に記載の技術では、プロジェクター内の空冷ユニットが占める領域が大きく、プロジェクターが大型化するという課題がある。また、空冷ユニットを除くプロジェクターが備える他の構成要素の配置位置に大きな制約を与えてしまうという課題もある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源、光変調装置、および投写光学装置を備えたプロジェクターであって、空気を吸入する吸入口、および空気を送出する送出口を有する第１ファンと、前記送出口から送出された空気を前記光変調装置に導く第１流路と、前記光変調装置を冷却した空気を流通させる第２流路と、前記第２流路を流通した空気を前記吸入口に導く第３流路と、前記第３流路内の熱を放熱するヒートシンクと、を備え、前記投写光学装置の光軸の方向に直交する方向を第１方向、前記光軸の方向及び前記第１方向に直交する方向を第２方向としたとき、前記第１流路は、前記投写光学装置に対して前記第１方向の一方側に配置され、前記第２流路は、前記投写光学装置に対して前記第１方向における他方側に配置され、前記第３流路は、前記投写光学装置に対して前記第２方向における一方側に配置されていることを特徴とする。
【０００８】
この構成によれば、第１ファンから送出された空気が、第１流路、光変調装置、第２流路、第３流路をこの順で流れ、ヒートシンクで放熱されて第１ファンに吸入されるという、空気の循環流路が形成される。そして、光変調装置は、この循環流路を流れる空気によって冷却される。また、第１流路、第２流路および第３流路は、投写光学装置の周囲に設けられている。すなわち、第１流路、第２流路および第３流路は、投写光学装置の周囲のデッドスペースになりがちなスペースを有効に利用して形成されている。これによって、光変調装置を効率良く冷却しつつ、小型のプロジェクターの提供が可能となる。また、この循環流路を除くプロジェクターが備える他の構成要素の配置自由度の向上も可能となる。
【０００９】
［適用例２］上記適用例に係るプロジェクターにおいて、前記ヒートシンクは、前記第３流路内に配置され、前記第３流路における空気の流通方向に沿って延出する複数の第１フィンと、前記複数の第１フィンに熱伝導可能に接続され、前記第３流路の外部に露出する放熱部と、を有していることが好ましい。
【００１０】
この構成によれば、第３流路内の熱は、複数の第１フィンが受熱し、放熱部によって第３流路の外部に放熱される。また、複数の第１フィンが第３流路を流れる空気の流れる方向に沿って延出しているので、第３流路内の円滑な空気の流れを形成することが可能となる。したがって、第３流路内の熱を効率良く第３流路外に放熱するヒートシンクが可能となる。
【００１１】
［適用例３］上記適用例に係るプロジェクターにおいて、前記投写光学装置は、前記光軸を中心軸とする円筒状の外面を有し、前記複数の第１フィンは、先端が前記外面に沿うように、円弧状に形成されていることが好ましい。
【００１２】
この構成によれば、複数の第１フィンは、先端が投写光学装置の外面に沿うように、円弧状に形成されている。これによって、第１フィンを投写光学装置に近づけて形成し、第３流路内の熱を充分に受熱できる大きさの第１フィンの形成が可能となる。よって、第２方向における投写光学装置に対する飛び出し量を抑制して放熱性を確保するヒートシンクの形成が可能となる。
【００１３】
［適用例４］上記適用例に係るプロジェクターにおいて、前記放熱部は、前記複数の第１フィンが延出する方向に対して交差する方向に延出する複数の第２フィンを有していることが好ましい。
【００１４】
この構成によれば、ヒートシンクは、複数の第１フィンに熱伝導可能に接続された複数の第２フィンを有しているので、第３流路の熱を効率良く外部に放熱させることが可能となる。
また、第１フィンが第３流路における空気の流通方向、すなわち第１方向に近似する方向に延出しているのに対し、第２フィンは、第１方向に交差する方向に延出している。これによって、第１方向の小型化を維持しつつ、充分な放熱性を有するように第２フィンに空気を流通させる構成が可能となる。
【００１５】
［適用例５］上記適用例に係るプロジェクターにおいて、前記複数の第２フィンに空気を送出する第２ファンを備え、前記第２ファンは、前記複数の第２フィンが延出する方向において前記複数の第２フィンに並設されていることが好ましい。
【００１６】
この構成によれば、プロジェクターは、上述した第２ファンを備えているので、第２ファンおよび複数の第２フィンのコンパクトな配置が可能になると共に、第２ファンが送出する空気を充分に利用して複数の第２フィンの放熱を促進させることができる。よって、小型化を維持しつつ、光変調装置をさらに効率良く冷却できるプロジェクターの提供が可能となる。
【００１７】
［適用例６］上記適用例に係るプロジェクターにおいて、前記光源は半導体レーザーを有し、前記半導体レーザーが発光した光の波長を変換する波長変換素子が設けられ、前記複数の第２フィンに流通した空気を、前記波長変換素子を冷却するように導く導風部を備えることが好ましい。
【００１８】
この構成によれば、第２ファンから送出され、複数の第２フィンに流通した空気を利用して、波長変換素子を冷却する。これによって、波長変換素子を冷却するためのファンを備えることなくこの波長変換素子を冷却することができる。よって、小型化を維持しつつ、光変調装置および他の波長変換素子を冷却できるプロジェクターの提供が可能となる。
【図面の簡単な説明】
【００１９】
【図１】本実施形態のプロジェクターの外観斜視図。
【図２】本実施形態の本体部の外観斜視図であり、後方斜めから見た図。
【図３】本体部の内部を示す分解斜視図であり、前方斜めから見た図。
【図４】本実施形態の光学ユニットの主な構成を示す模式図。
【図５】本実施形態の光学ユニット、および回路装置のパネル駆動部を示す斜視図。
【図６】本実施形態の照明装置の主な構成を示す模式図。
【図７】本実施形態の照明装置を取り外した状態の光学ユニットを示す斜視図。
【図８】本実施形態の冷却装置およびヒートシンクの斜視図。
【図９】本実施形態の第１冷却系および光変調装置の斜視図。
【図１０】本実施形態の第１冷却系の斜視図。
【図１１】本実施形態の照明装置を取り外した状態の光学ユニット、および第１冷却系を上方斜めから見た斜視図。
【図１２】本実施形態のダクト部材、第１筐体、および光変調装置を示す斜視図。
【図１３】本実施形態の光学ユニットおよび第１冷却系を下方斜めから見た斜視図。
【図１４】本実施形態のクロスダイクロイックプリズム近傍の光学ユニット、および第１冷却系の断面図。
【図１５】本実施形態の第２冷却系、第２フィン、放熱部、および放熱部近傍の支持体を示す分解斜視図。
【図１６】本実施形態の第２冷却系、第２フィン、放熱部、および支持体を示す斜視図。
【図１７】本実施形態の第３冷却系、ヒートシンク、および支持体の斜視図。
【発明を実施するための形態】
【００２０】
以下、本発明の実施形態について、図面を参照して説明する。なお、以下に示す各図においては、各構成要素を図面上で認識され得る程度の大きさとするため、各構成要素の寸法や比率を実際のものとは適宜異ならせてある。
本実施形態のプロジェクターは、光源から射出された光を画像情報に応じて変調し、変調した光を拡大投写する。
【００２１】
〔プロジェクターの主な構成〕
図１は、本実施形態のプロジェクター１の外観斜視図である。
プロジェクター１は、図１に示すように、画像を投写する本体部１Ａ、本体部１Ａに電力を供給する電源部１Ｂ、および本体部１Ａを回動可能に支持し、本体部１Ａと電源部１Ｂとを接続する接続部１Ｃを備えている。
【００２２】
プロジェクター１は、電源部１Ｂが天井等に設置され、本体部１Ａが回動されることで、所望の方向に画像を投写する。なお、以下では、説明の便宜上、本体部１Ａにおいて、画像を投写する方向を前方（＋Ｙ方向）、接続部１Ｃ側を上方（＋Ｚ方向）、接続部１Ｃ側が上方となる姿勢において前方から見た本体部１Ａの右側を右方（＋Ｘ方向）として記載する。なお、図１は、本体部１Ａを前方斜めから見た図である。
【００２３】
〔本体部の主な構成〕
図２は、本体部１Ａの外観斜視図であり、後方斜めから見た図である。図３は、本体部１Ａの内部を示す分解斜視図であり、前方斜めから見た図である。
本体部１Ａは、図１〜図３に示すように、外装筐体２、光学ユニット３、回路装置４、冷却装置５、および図示しないフレームを備える。
【００２４】
外装筐体２は、ケース本体２１、前枠２２、フロントケースユニット２３、およびリアケース２４を備える。
ケース本体２１は、図１、図２に示すように、Ｙ方向に延出し、前後に開口する円筒状に形成されている。
ケース本体２１の上面には、Ｙ方向における中央部に円柱状の凸部２１１が設けられ、凸部２１１の後方には丸孔２１２が形成されている。
凸部２１１には、図示しないフレームに取り付けられたシャフト２０が露出する開口部が形成されている。シャフト２０の先端には、図２に示すように、球状の被支持部２０Ｓが設けられている。本体部１Ａは、この被支持部２０Ｓが接続部１Ｃに回動可能に支持される。丸孔２１２には、電源部１Ｂからのケーブル（図示省略）が挿通されている。
【００２５】
図示しないフレームは、ケース本体２１の内側に配置され、光学ユニット３等を支持する。
前枠２２は、図３に示すように、平面視円形状の前面部２２ｆ、および前面部２２ｆの周縁から後方に突出する突出部２２ｐを有している。前枠２２は、図示しないフレームに取り付けられ、円筒状のケース本体２１内の前側に配置されている。
前面部２２ｆには、光学ユニット３の後述する投写光学装置３６から射出された光が通過する投写用開口部２２１、複数の孔を有する第１吸気口２２２、および凹部２２３が形成されている。
【００２６】
投写用開口部２２１は、上下方向において円筒状のケース本体２１の下端部寄りに形成されている。
第１吸気口２２２は、投写用開口部２２１の上方、および投写用開口部２２１の左方に設けられている。
凹部２２３は、投写用開口部２２１の右方で、突出部２２ｐ近傍に設けられ、上下方向に沿う内壁を有している。そして、この内壁には、複数の孔を有する第２吸気口２２４が形成されている。
【００２７】
フロントケースユニット２３は、外枠２３１、および図示しない内枠を備え、前枠２２に着脱可能に取り付けられている。外枠２３１には、投写光学装置３６から射出された光が通過する投写用開口部２３１１、および前枠２２の第１吸気口２２２および第２吸気口２２４に連通する複数の孔を有する吸気口２３１２が形成されている。図示しない内枠にも投写光学装置３６から射出された光が通過する投写用開口部、および第１吸気口２２２、第２吸気口２２４に連通する複数の孔を有する吸気口が形成されている。
【００２８】
外枠２３１の吸気口２３１２を構成する複数の孔、および内枠の吸気口を構成する複数の孔は、前方から見て第１吸気口２２２を構成する複数の孔からずれた位置に形成されている。これによって、本体部１Ａは、前方から内部が視認しにくく、また、外部の塵埃が内部に侵入しづらく構成されている。なお、フロントケースユニット２３は、外枠２３１と内枠との間に防塵フィルターが配置可能に形成されている。これによって、プロジェクター１は、防塵フィルターが装着されることで、塵埃の本体部１Ａ内への侵入がさらに抑制可能に構成されている。
【００２９】
リアケース２４は、平面視円形状に形成され、ケース本体２１の後側に一部が挿入されて配置されている。
リアケース２４には、図２に示すように、回路装置４に設けられた入力端子（図示省略）が露出する複数の開口部２４１、および排気口２４２が形成されている。複数の開口部２４１は、円筒状のケース本体２１の上端部寄りに形成されている。排気口２４２は、複数の開口部２４１の下方で、ケース本体２１の左端部寄りに形成されている。
【００３０】
図４は、光学ユニット３の主な構成を示す模式図である。図５は、光学ユニット３、および回路装置４の後述するパネル駆動部４１を示す斜視図であり、下方斜めから見た図である。
光学ユニット３は、図４に示すように、白色光ＷＬを射出する照明装置３０、第１ミラー３Ｍａ、第２ミラー３Ｍｂ、インテグレーター光学系３１、色分離導光光学系３２、光変調装置３４、クロスダイクロイックプリズム３５、投写光学装置３６、および図５に示すように、ヘッド体３７、光学部品用筐体３８、および支持体８を備える。
【００３１】
図６は、照明装置３０の主な構成を示す模式図である。
照明装置３０は、図６に示すように、光源１１、ヒートシンク１０Ｈ、コリメーター光学系１２、アフォーカル光学系１３、λ／２板１９ａ、ホモジナイザー光学系１４、偏光分離素子１５、反射ミラー１７、λ／４板１９ｂ、ピックアップ光学系１６，１８、波長変換装置７０、およびこれらの部材を収納する収納部材７５（図３参照）を備える。
【００３２】
光源１１は、基板１１１、および基板１１１上に配置された複数の半導体レーザー１１ａを備え、青色光Ｂを＋Ｘ方向に射出する。
ヒートシンク１０Ｈは、基板１１１の半導体レーザー１１ａとは反対側に配置され、光源１１の熱を放熱する。
ヒートシンク１０Ｈは、基板１１１に沿うベース部１０Ｈａ、およびベース部１０Ｈａから突出する複数のフィン１０Ｈｂを有している。ヒートシンク１０Ｈは、図５に示すように、ベース部１０ＨａがＹ−Ｚ平面に沿う板状に形成され、各フィン１０ＨｂがＸ−Ｙ平面に沿う板状に形成されている。前述した排気口２４２（図２参照）は、ヒートシンク１０Ｈの後方に設けられている。
【００３３】
図６に戻って、コリメーター光学系１２は、複数の半導体レーザー１１ａに個別に対応して設けられた複数のコリメーターレンズ１２ａを有し、光源１１から射出された青色光Ｂを平行化する。
アフォーカル光学系１３は、例えば、凸レンズ１３ａおよび凹レンズ１３ｂを備え、コリメーター光学系１２を通過した青色光Ｂの光束の径を縮小する。
【００３４】
λ／２板１９ａは、図示しない機構により回動可能に構成され、偏光分離素子１５に対するＳ偏光成分とＰ偏光成分との比率を調整する。
ホモジナイザー光学系１４は、例えば、レンズアレイ１４ａ，１４ｂを備え、波長変換装置７０の後述する蛍光体層７１ｂに入射する青色光Ｂの光強度分布を均一化する。
【００３５】
偏光分離素子１５は、ホモジナイザー光学系１４を透過した青色光Ｂのうち、Ｓ偏光成分の青色光ＢＬｓを反射し、Ｐ偏光成分の青色光ＢＬｐを透過させる。また、偏光分離素子１５は、青色光Ｂとは波長帯が異なり、後述する蛍光Ｙを、その偏光状態にかかわらず透過させる。
ピックアップ光学系１６は、偏光分離素子１５で反射した青色光ＢＬｓを蛍光体層７１ｂに集光させる機能、および蛍光体層７１ｂから射出された蛍光Ｙをピックアップする機能を有する。
【００３６】
反射ミラー１７は、偏光分離素子１５を透過した青色光ＢＬｐをλ／４板に向けて反射する。
λ／４板は、入射する青色光ＢＬｐを円偏光の青色光ＢＬｃに変換する。
ピックアップ光学系１８は、λ／４板で変換された青色光ＢＬｃを波長変換装置７０の後述する拡散部７１ｃに向けて集光させる機能、および拡散部７１ｃで拡散された青色光ＢＬｃをピックアップする機能を有する。
【００３７】
波長変換装置７０は、波長変換素子７１、放熱部７２、およびモーター等を有する回転装置７３を備える。
波長変換素子７１は、基板７１ａ、基板７１ａ上に形成された蛍光体層７１ｂ、および拡散部７１ｃを有し、回転装置７３によって回転される。蛍光体層７１ｂおよび拡散部７１ｃは、基板７１ａの回転軸を中心に、それぞれがリング状に形成され、蛍光体層７１ｂが拡散部７１ｃの外側に配置されている。
【００３８】
蛍光体層７１ｂは、ピックアップ光学系１６によって集光された青色光ＢＬｓによって、緑色光および赤色光を含む蛍光Ｙ（黄色光）を発する。この蛍光Ｙは、ピックアップ光学系１６を介して偏光分離素子１５に入射し、偏光分離素子１５を透過する。
【００３９】
拡散部７１ｃは、ピックアップ光学系１８によって集光された青色光ＢＬｃを、蛍光体層７１ｂから射出される蛍光Ｙと同様の拡散角で拡散反射する。
拡散部７１ｃによって拡散反射された青色光ＢＬｃは、ピックアップ光学系１８を介してλ／４板１９ｂに入射し、Ｓ偏光の青色光ＢＬｓに変換される。この青色光ＢＬｓは、反射ミラー１７で反射し、偏光分離素子１５で反射する。
【００４０】
偏光分離素子１５で反射した青色光ＢＬｓは、偏光分離素子１５を透過した蛍光Ｙと合成される。このように、照明装置３０は、蛍光体層７１ｂから発せられた蛍光Ｙと、拡散部７１ｃで拡散反射された青色光ＢＬｓとが合成された白色光ＷＬを射出する。また、照明装置３０は、図３に示すように、支持体８の上側に配置され、白色光ＷＬを後方（−Ｙ方向）に射出する。
【００４１】
放熱部７２は、波長変換素子７１の熱を放熱する。
放熱部７２は、図６に示すように、基板７１ａの蛍光体層７１ｂとは反対側に設けられている。
放熱部７２は、上方から見て矩形状の基部７２１、および基部７２１から突出する複数のフィン７２２を有している。
複数のフィン７２２は、基部７２１の一方の端部寄りに形成され、上下方向に延出している。また、複数のフィン７２２は、図３に示すように、収納部材７５から突出している。
【００４２】
収納部材７５は、図３に示すように、下側（支持体８側）を形成する下筐体７５１、および上側を形成する上筐体７５２を有している。
【００４３】
第１ミラー３Ｍａは、上筐体７５２内に配置され、照明装置３０から射出された後方に向かう白色光ＷＬを下方（−Ｚ方向）に反射する。第２ミラー３Ｍｂは、支持体８内に配置され、第１ミラー３Ｍａで反射した白色光ＷＬを前方（＋Ｙ方向）に反射する。
【００４４】
図４に戻って、インテグレーター光学系３１は、レンズアレイ３１１，３１２、偏光変換素子３１３、および重畳レンズ３１４を備える。
レンズアレイ３１１は、小レンズがマトリクス状に配列された構成を有しており、第２ミラー３Ｍｂで反射された白色光ＷＬを複数の部分光に分割する。レンズアレイ３１２は、レンズアレイ３１１と略同様の構成を有しており、重畳レンズ３１４と共に、部分光を後述する光変調装置３４に略重畳させる。偏光変換素子３１３は、レンズアレイ３１２から射出されたランダム光を光変調装置３４で利用可能な偏光光に揃える機能を有している。
【００４５】
色分離導光光学系３２は、ダイクロイックミラー３２１，３２２、反射ミラー３２３，３２４，３２５、リレーレンズ３２６，３２７、およびフィールドレンズ３２８を備える。色分離導光光学系３２は、インテグレーター光学系３１から射出された白色光ＷＬを赤色光ＬＲ、緑色光ＬＧ、青色光ＬＢに分離し、各色光を各色光用の光変調装置３４に導く。
【００４６】
光変調装置３４は、各色光用に設けられている。赤色光ＬＲ用の光変調装置を３４Ｒ、緑色ＬＧ用の光変調装置を３４Ｇ、青色光ＬＢ光の光変調装置を３４Ｂとする。
光変調装置３４は、透過型の液晶パネル、液晶パネルの光入射側に配置された入射側偏光板、液晶パネルの光射出側に配置された射出側偏光板、およびフレキシブル基板３４Ｆ（図５参照）を備える。
【００４７】
フレキシブル基板３４Ｆは、一端が液晶パネルに接続され、他端が回路装置４のパネル駆動部４１に接続されている（図５参照）。光変調装置３４は、図示しない複数の微小画素がマトリクス状に形成された矩形状の画素領域を有し、入射する色光を変調してこの画素領域内に各色光の表示画像を形成する。光変調装置３４Ｒ，３４Ｇ，３４Ｂは、図示しない支持部材によってクロスダイクロイックプリズム３５に支持されている。なお、図４は、光変調装置３４を一体化して図示しているが、液晶パネル、入射側偏光板、および射出側偏光板は、互いに離間して配置されている。
【００４８】
クロスダイクロイックプリズム３５は、４つの直角プリズムを貼り合わせた平面視略正方形状をなし、直角プリズム同士を貼り合わせた界面には、２つの誘電体多層膜が形成されている。クロスダイクロイックプリズム３５は、各光変調装置３４Ｒ，３４Ｇ，３４Ｂにて変調された各色光を合成する。
【００４９】
投写光学装置３６は、Ｙ方向に延出する光軸３６Ａｘ（図３参照）に沿って配置された複数のレンズ（図示省略）を有し、クロスダイクロイックプリズム３５にて合成された光を拡大投写する。
投写光学装置３６は、複数のレンズを収納し、図５に示すように、光軸３６Ａｘを中心軸とする円筒状の外面を有する鏡筒３６１、−Ｙ側端部に設けられたフランジ部３６２、ズーム調整駆動部３６３、およびフォーカス調整駆動部３６４（図７参照）を有している。投写光学装置３６は、外部からのリモコンの操作によって、フォーカス調整およびズーム調整が可能に構成されている。
【００５０】
ヘッド体３７は、図５に示すように、投写光学装置３６を支持するレンズ支持部３７１、およびクロスダイクロイックプリズム３５（図４参照）を支持するプリズム支持部３７２を有している。
投写光学装置３６は、フランジ部３６２がレンズ支持部３７１にネジ固定される。
プリズム支持部３７２は、レンズ支持部３７１から−Ｙ方向に突出している。クロスダイクロイックプリズム３５は、接着剤によってプリズム支持部３７２の上側に固定されている。
【００５１】
光学部品用筐体３８は、図５に示すように、支持体８の下側（−Ｚ側）に取り付けられている。光学部品用筐体３８は、上側（支持体８側）を形成する第１筐体３８１、および下側を形成する第２筐体３８２を備える。第１筐体３８１は、下方（−Ｚ方向）に開口部を有し、インテグレーター光学系３１および色分離導光光学系３２を収納する。第２筐体３８２は、第１筐体３８１の開口部を覆う。
【００５２】
図７は、照明装置３０を取り外した状態の光学ユニット３を示す斜視図であり、上方斜めから見た図である。
第１筐体３８１は、図７に示すように、ヘッド体３７（図５参照）が取り付けられる取付部３８１１、取付部３８１１の−Ｙ側に設けられた開口部３８１２を有している。
取付部３８１１は、ヘッド体３７のレンズ支持部３７１が取り付けられるように、上方に突出している。開口部３８１２は、上方から見て、光変調装置３４Ｒ，３４Ｇ，３４Ｂおよびクロスダイクロイックプリズム３５が露出するように形成されている。
第２筐体３８２は、開口部３８１２に対応する凹部３８２１（図５参照）を有している。光変調装置３４Ｒ，３４Ｇ，３４Ｂは、図５に示すように、それぞれのフレキシブル基板３４Ｆがこの凹部３８２１から引き出されている。
【００５３】
支持体８は、前述したように、上側に照明装置３０が取り付けられ、下側に光学部品用筐体３８が取り付けられる。支持体８は、図７に示すように、第１ミラー３Ｍａ（図４参照）で反射した白色光ＷＬが通過する開口部８１、第１筐体３８１の開口部３８１２を露出される開口部８２、取付部３８１１の上方に設けられた架橋部８３、および図示しないフレームがネジ固定される複数のボス８４を有している。
【００５４】
また、支持体８には、図７に示すように、開口部８２の＋Ｘ側に突出部８５が形成され、突出部８５の＋Ｙ側に空気導入部８６が形成されている。
突出部８５は、上方に突出し、下側が開口する箱状に形成されている。また、突出部８５は、上方から見て矩形状に形成され、上面および−Ｙ側の側面が切り欠かれた切欠き８５１を有している。切欠き８５１は、波長変換装置７０の複数のフィン７２２（図３参照）が配置されるように形成されている。
空気導入部８６は、冷却装置５の後述する第２ファン５２Ｆ（図３参照）から送出された空気を導入する部位である。空気導入部８６は、支持体８の＋Ｙ側端部に設けられ、前側および下側に開口部を有し、突出部８５の内部と連通している。
【００５５】
回路装置４は、光変調装置３４に駆動信号を出力するパネル駆動部４１（図５参照）、図示しない制御部および光源駆動部を備える。
パネル駆動部４１は、回路基板、およびこの回路基板に実装された電子部品を有し、図５に示すように、光学部品用筐体３８の下方（−Ｚ方向）に配置されている。パネル駆動部４１は、光学部品用筐体３８の凹部３８２１から引き出されたフレキシブル基板３４Ｆが接続され、制御部の指示に基づいて光変調装置３４に駆動信号を出力する。
【００５６】
制御部は、回路基板、および回路基板に実装されたＣＰＵ（Central Processing Unit）やＲＯＭ（Read Only Memory）、ＲＡＭ（Random Access Memory）等の電子部品を有し、プロジェクター１の動作の制御、例えば、画像の投写に関わる制御等を行う。また、制御部は、外部の装置（コンピューターやビデオプレーヤー等）からの画像信号を入力可能な入力端子（例えば、ＨＤＭＩ（登録商標）規格に準拠した端子、ビデオ端子等）を備えている。制御部は、光学ユニット３の上方に配置され、入力端子がリアケース２４の開口部２４１（図２参照）から露出している。
光源駆動部は、制御部の指示に基づいて光源１１に駆動信号を出力する。
【００５７】
冷却装置５は、外枠２３１の吸気口２３１２（図３参照）から外部の空気を取り込んで本体部１Ａの内部を冷却し、温まった空気をリアケース２４の排気口２４２（図２参照）から排出させる。
【００５８】
〔冷却装置の構成〕
ここで、冷却装置５について詳細に説明する。
図３に戻って、冷却装置５は、投写光学装置３６の近傍に設けられた第１冷却系５１、第１冷却系５１の右方（＋Ｘ方向）に設けられた第２冷却系５２、および第１冷却系５１の左方（−Ｘ方向）に設けられた第３冷却系５３を備える。
【００５９】
先ず、第１冷却系５１について説明する。
図８は、冷却装置５およびヒートシンク１０Ｈの斜視図であり、前方右斜めから見た図である。図９は、第１冷却系５１および光変調装置３４の斜視図であり、前方左斜めから見た図である。図１０は、第１冷却系５１の斜視図であり、後述するダクト部材６２を取り外した状態の図である。
【００６０】
第１冷却系５１は、図９、図１０に示すように、第１ファン５１Ｆ、第１ダクト部６、およびヒートシンク５１２を備え、光変調装置３４を冷却する。
第１ファン５１Ｆは、投写光学装置３６の上方で、第１ダクト部６内に配置されている。第１ファン５１Ｆは、空気を吸入する吸入口５１Ｆｉ、および空気を送出する送出口５１Ｆｅを有し、回転軸に沿う方向から取り込んだ空気を回転接線方向に送出するシロッコファンである。そして、第１ファン５１Ｆは、図１０に示すように、吸入口５１Ｆｉが下側（−Ｚ側、投写光学装置３６側）を向き、送出口５１Ｆｅが後側（−Ｙ側）を向くように配置されている。
【００６１】
第１冷却系５１は、第１ファン５１Ｆから送出された空気で光変調装置３４を冷却し、温まった空気をヒートシンク５１２で放熱した後、第１ファン５１Ｆに吸入させ、再び光変調装置３４に向けて送出する。すなわち、第１冷却系５１は、第１ファン５１Ｆから送出された空気を循環させることによって光変調装置３４を冷却するように構成されている。
【００６２】
第１ダクト部６は、図９に示すように、ダクト部材６１，６２，６３，６４を備え、光学部品用筐体３８とで空気を循環させる流路６Ｓを形成する。
流路６Ｓは、第１ファン５１Ｆから送出された空気が順に流れる第１流路６Ｓａ、第２流路６Ｓｂ、および第３流路６Ｓｃを有している。
第１流路６Ｓａは、送出口５１Ｆｅから送出された空気を光変調装置３４に導く流路である。第２流路６Ｓｂは、光変調装置３４を冷却した空気を流通させる流路である。そして、第３流路６Ｓｃは、第２流路６Ｓｂを流通した空気を第１ファン５１Ｆの吸入口５１Ｆｉに導く流路である。
【００６３】
ダクト部材６１，６２は、第１流路６Ｓａ、および第３流路６Ｓｃの一部を形成する。
図１１は、照明装置３０を取り外した状態の光学ユニット３、および第１冷却系５１を上方斜めから見た斜視図である。また、図１１は、図７に示す光学ユニット３に第１冷却系５１を加えた図である。
【００６４】
ダクト部材６１は、図９、図１１に示すように、投写光学装置３６の上方に位置する箱状部６１Ａ、および投写光学装置３６の右方に位置する立壁部６１Ｂ（図１０参照）を有している。
箱状部６１Ａは、図９、図１０に示すように、上面部６１ｕおよび上面部６１ｕの周縁から下方に起立する側面部６１ｗを有し、下側（投写光学装置３６側）が開口している。箱状部６１Ａは、第１ファン５１Ｆが収納されるファン収納部６１１、および第１流路形成部６１２を有している。
【００６５】
第１流路形成部６１２は、図１０、図１１に示すように、ファン収納部６１１の後側にファン収納部６１１と連通して接続され、光変調装置３４およびクロスダイクロイックプリズム３５の上方に延出している。第１流路形成部６１２の側面部６１ｗは、上方から見て、光変調装置３４Ｒ，３４Ｇ，３４Ｂを囲むように形成されている。そして、第１流路形成部６１２は、図１１に示すように、第１筐体３８１の開口部３８１２（図７参照）を覆う。
【００６６】
立壁部６１Ｂは、図１０に示すように、ファン収納部６１１における＋Ｘ側の側面部６１ｗに倣うように形成されている。立壁部６１Ｂには、図１１に示すように、矩形状の開口部６１３（図１０参照）、ケーブル挿通孔６１４、および複数の突起６１５が形成されている。
開口部６１３は、図１０に示すように、ヒートシンク５１２の一部（後述する複数の第１フィン５１２ｂ）が挿通される孔である。
ケーブル挿通孔６１４は、開口部６１３の上方に形成され、第１ファン５１Ｆのケーブル（図示省略）が挿通される。複数の突起６１５は、ケーブル挿通孔６１４の上方に設けられ、ケーブル挿通孔６１４から挿通されたケーブルが係止可能となるような間隔で形成されている。
【００６７】
図１２は、ダクト部材６１，６２、第１筐体３８１、および光変調装置３４を示す斜視図であり、下方斜めから見た図である。
ダクト部材６２は、図１２に示すように、ダクト部材６１の下側に嵌合されている。ダクト部材６２は、ファン収納部６１１における開口部の一部を覆う共に、ダクト部材６１の立壁部６１Ｂとで第３流路６Ｓｃの一部（空気流通領域６２Ａｒとする）を形成する。空気流通領域６２Ａｒは、図１０に示すように、第１ファン５１Ｆの吸入口５１Ｆｉ近傍を含む領域であり、複数の第１フィン５１２ｂが配置された領域である。
【００６８】
具体的に、ダクト部材６２は、図１２に示すように、投写光学装置３６（図１１参照）から僅かに離間する曲面部６２１、および曲面部６２１の前後端部からそれぞれ立壁部６１Ｂに向かって延出する側面部６２２を有している。曲面部６２１は、外面が投写光学装置３６の外面（鏡筒３６１の外面）に沿うように、断面が円弧状に形成されている。また、ダクト部材６２の下端部６２３には、開口部６２３ｈが形成されている。空気流通領域６２Ａｒは、曲面部６２１、前後の側面部６２２、および立壁部６１Ｂで囲まれた領域である。
【００６９】
図１２に示すように、ダクト部材６２の−Ｙ側には、第１筐体３８１の取付部３８１１が配置されている。すなわち、第１流路形成部６１２の開口部の一部は、この取付部３８１１によって覆われる。また、取付部３８１１は、第１流路形成部６１２の上面部６１ｕと離間しており、第１ファン５１Ｆから送出された空気は、取付部３８１１と上面部６１ｕとの間を通る。そして、第１流路形成部６１２は、取付部３８１１の−Ｙ側が開口した状態となる。この第１流路形成部６１２における開口する部位を空気流出口６１２Ａとする。空気流出口６１２Ａは、第１筐体３８１の開口部３８１２（図７参照）と連通している。
【００７０】
第１ファン５１Ｆから送出された空気は、この空気流出口６１２Ａから光変調装置３４に送出される。また、光変調装置３４には、図９に示すように、フレキシブル基板３４Ｆの反対側から空気が流通する。
ダクト部材６１と、ダクト部材６２および取付部３８１１との間において、送出口５１Ｆｅから空気流出口６１２Ａまでの流路が第１流路６Ｓａとなる。そして、第１流路６Ｓａは、投写光学装置３６の光軸３６Ａｘに直交する第１方向（上下方向）における投写光学装置の一方側（上側）に配置されている。すなわち、図９において第１流路６Ｓａは投写光学装置３６に対してＺ軸方向におけるプラス側に位置することになる。
【００７１】
図１３は、光学ユニット３および第１冷却系５１を下方斜めから見た斜視図である。また、図１３は、図５に示す光学ユニット３に第１冷却系５１を加えた図である。
ダクト部材６３、６４は、図１３に示すように、投写光学装置３６を挟んでダクト部材６１、６２の反対側に配置されている。
ダクト部材６３，６４は、第２流路６Ｓｂ、および第３流路６Ｓｃの一部を形成する。
【００７２】
ダクト部材６３は、図９に示すように、上側（投写光学装置３６側）が開口する箱状に形成され、光変調装置３４の下方からダクト部材６２の下端部６２３近傍まで延出している。そして、ダクト部材６３は、図１３に示すように、第２筐体３８２の凹部３８２１（図５参照）を覆うように形成されている。具体的に、ダクト部材６３は、図９、図１０に示すように、光変調装置３４の下方から前方に延出する第２流路形成部６３１、および第２流路形成部６３１から下端部６２３に向かって徐々に立ち上がるように形成された曲折部６３２を有している。
【００７３】
ダクト部材６４は、図９に示すように、投写光学装置３６（図１３参照）から僅かに離間する曲面部６４１、およびダクト部材６２の下端部６２３に対向する上端部６４２を有し、ダクト部材６３の上側に嵌合されている。曲面部６４１は、ダクト部材６２の曲面部６２１に倣い、断面が円弧状に形成されている。上端部６４２には、下端部６２３の開口部６２３ｈと連通する開口部（図示省略）が形成されている。
また、ダクト部材６４は、ダクト部材６３の開口部のうち、空気流出口６１２Ａに対向する部位（第２流路形成部６３１における開口部の一部）を開口させ、残りの開口部を覆うように形成されている。ダクト部材６４が嵌合された状態のダクト部材６３における開口する部位を空気流入口６３Ａとする。空気流入口６３Ａは、第２筐体３８２の凹部３８２１（図５参照）と連通している。
【００７４】
光変調装置３４を冷却した空気は、空気流入口６３Ａから流入し、第２流路形成部６３１とダクト部材６４とで囲まれた領域、および曲折部６３２とダクト部材６４とで囲まれた領域をこの順で流れ、上端部６４２の開口部から空気流通領域６２Ａｒ（図１０参照）に流入する。
【００７５】
第２流路形成部６３１とダクト部材６４とで囲まれた領域は、光変調装置３４を冷却した空気を流通させる第２流路６Ｓｂである。そして、この第２流路６Ｓｂは、投写光学装置３６の光軸３６Ａｘに直交する第１方向（上下方向）における投写光学装置の他方側（下側）に配置されている。すなわち、第２流路６Ｓｂは投写光学装置に対してマイナスＺ方向に位置することになる。
曲折部６３２とダクト部材６４とで囲まれた領域は、空気流通領域６２Ａｒとで第３流路６Ｓｃを形成する。そして、第３流路６Ｓｃは、光軸３６Ａｘおよび第１方向に直交する第２方向（左右方向）において、投写光学装置３６の一方側（右側）に配置されている。
【００７６】
ヒートシンク５１２は、図１０、図１１に示すように、ベース部５１２ａ、ベース部５１２ａの一方側から突出する複数の第１フィン５１２ｂ、およびベース部５１２ａの他方側から突出する複数の第２フィン５１２ｃを有している。
【００７７】
ヒートシンク５１２は、図１０に示すように、複数の第１フィン５１２ｂが開口部６１３から挿通されて空気流通領域６２Ａｒ（第３流路６Ｓｃ）に配置され、ベース部５１２ａがダクト部材６１の開口部６１３を覆うように配置される。すなわち、ヒートシンク５１２は、複数の第１フィン５１２ｂが第３流路６Ｓｃ内に配置され、ベース部５１２ａおよび複数の第２フィン５１２ｃが第３流路６Ｓｃ（流路６Ｓ）の外側に配置されている。ベース部５１２ａおよび複数の第２フィン５１２ｃは、複数の第１フィン５１２ｂに熱伝導可能に接続され、第３流路６Ｓｃの外部に露出する放熱部に相当する。そして、ヒートシンク５１２は、複数の第１フィン５１２ｂが第３流路６Ｓｃ内の熱を受熱し、ベース部５１２ａおよび第２フィン５１２ｃが複数の第１フィン５１２ｂから伝わった熱を第３流路６Ｓｃの外部に放熱する。
【００７８】
複数の第１フィン５１２ｂは、第１ファン５１Ｆによる空気の流通方向、具体的には、第３流路６Ｓｃにおける空気の流通方向（Ｚ方向）に沿って延出している。また、複数の第１フィン５１２ｂそれぞれは、Ｘ−Ｚ平面に沿う板状に形成されている。複数の第１フィン５１２ｂは、曲面部６２１（図９参照）の内面と僅かに離間して形成され、投写光学装置３６の外面（鏡筒３６１の外面）に沿うように、先端が円弧状に形成されている。換言すると、複数の第１フィン５１２ｂは、空気が流れる方向において上流側から下流側に向かって徐々にベース部５１２ａからの突出量が大きくなるように形成されている。
【００７９】
複数の第２フィン５１２ｃは、複数の第１フィン５１２ｂが延出する方向に対して交差する方向に延出している。具体的に、複数の第２フィン５１２ｃは、Ｚ方向に直交する方向に延出している。また、複数の第２フィン５１２ｃそれぞれは、Ｘ−Ｙ平面に沿う板状に形成されている。
【００８０】
図１４は、クロスダイクロイックプリズム３５近傍の光学ユニット３、および第１冷却系５１の断面図である。
図９、図１４に示すように、第１ファン５１Ｆから送出された空気は、第１流路６Ｓａによって導かれて光変調装置３４を冷却する。光変調装置３４を冷却して温まった空気は、第２流路６Ｓｂ、第３流路６Ｓｃを順次流れてヒートシンク５１２によって放熱される。そして、ヒートシンク５１２によって放熱された空気は、第１ファン５１Ｆに吸入されて再び光変調装置３４に送風される。
【００８１】
このように、第１冷却系５１は、第１ファン５１Ｆから送出された空気を循環させることによって光変調装置３４を冷却する。なお、第１流路形成部６１２内には、図１４に示すように、側面部６１ｗから離間し、光変調装置３４に対応するリブ６１２１が形成されている。これによって、光変調装置３４における液晶パネル、入射側偏光板、および射出側偏光板それぞれの表面に効率良く空気を流通させることができるので、これらの部材の効率的な冷却が可能となる。
【００８２】
次に、第２冷却系５２について説明する。
図８に戻って、第２冷却系５２は、第２ファン５２Ｆ、およびダクト部材５２０を有し、ダクト部材６１の右方に配置されている。
第２ファン５２Ｆは、ヒートシンク５１２における複数の第２フィン５１２ｃ（図１１参照）の前方に並設され、第２フィン５１２ｃに空気を送出する。すなわち、第２ファン５２Ｆは、複数の第２フィン５１２ｃが延出する方向において複数の第２フィン５１２ｃに並設されている。
ダクト部材５２０は、支持体８（図３参照）とで、第２フィン５１２ｃに流通した空気を波長変換装置７０における放熱部７２のフィン７２２（図３参照）に導くように形成されている。
【００８３】
図１５は、第２冷却系５２、第２フィン５１２ｃ、放熱部７２、および放熱部７２近傍の支持体８を示す分解斜視図であり、第２冷却系５２および第２フィン５１２ｃと、放熱部７２および支持体８とを分離した図である。
第２ファン５２Ｆは、シロッコファンであり、図８、図１５に示すように、吸入口５２Ｆｉが右方を向き、送出口５２Ｆｅが第２フィン５１２ｃを向くように配置されている。前述した前枠２２の第２吸気口２２４（図３参照）は、吸入口５２Ｆｉに対応して形成されている。すなわち、第２ファン５２Ｆは、第２吸気口２２４から外気を取り込んで、冷却対象に空気を送出するように構成されている。
【００８４】
ダクト部材５２０は、第２ファン５２Ｆおよび第２フィン５１２ｃを収納する収納部５２１、収納部５２１の−Ｙ側から突出する突起部５２２を有している。
収納部５２１は、吸入口５２Ｆｉを露出させる開口部を有する側面部５２１ａ（図８参照）、図１５に示すように、側面部５２１ａから起立し、第２フィン５１２ｃの−Ｙ側に位置する傾斜部５２１ｂ、および切欠き５２１ｃを有している。
傾斜部５２１ｂは、図１５に示すように、上方に向かう程、第２フィン５１２ｃから離間する距離が大きくなるように傾斜している。切欠き５２１ｃは、傾斜部５２１ｂの上端部に形成されている。
【００８５】
突起部５２２は、傾斜部５２１ｂの上側端部から−Ｙ方向に延出する第１延出部５２２ａ、および第１延出部５２２ａの−Ｙ側端部から−Ｘ方向に延出する第２延出部５２２ｂを有している。
【００８６】
図１６は、第２冷却系５２、第２フィン５１２ｃ、放熱部７２、および支持体８を示す斜視図であり、第２延出部５２２ｂ近傍を示す図である。
ダクト部材５２０は、図１６に示すように、第２延出部５２２ｂが支持体８における突出部８５の下側の開口部を覆い、切欠き５２１ｃおよび第１延出部５２２ａの周縁が支持体８における空気導入部８６（図１５参照）の周縁と対向するように形成されている。
【００８７】
第２ファン５２Ｆから送出された空気は、第２フィン５１２ｃを冷却する。第２フィン５１２ｃを冷却した空気は、図１５に示すように、傾斜部５２１ｂおよび突起部５２２によって突出部８５の内部に導かれ、フィン７２２に沿って流れる。
【００８８】
ダクト部材５２０、および支持体８における空気導入部８６、突出部８５は、導風部に相当し、第２フィン５１２ｃに流通した空気を、プロジェクター１内の光変調装置３４とは異なる冷却対象（波長変換装置７０のフィン７２２）に導く。
このように、第２冷却系５２は、第２フィン５１２ｃを冷却すると共に、第２フィン５１２ｃを流通した空気を利用して、流路６Ｓ外の部材を冷却する。
【００８９】
次に、第３冷却系５３について説明する。
図１７は、第３冷却系５３、ヒートシンク１０Ｈ、および支持体８の斜視図である。
第３冷却系５３は、図１７に示すように、第３ファン５３Ｆ、および第２ダクト部９を備え、支持体８に支持されている。第３冷却系５３は、吸気口２３１２（図３参照）から本体部１Ａ外部の空気を取り込み、取り込んだ空気をヒートシンク１０Ｈに送風することによって光源１１を冷却する。
【００９０】
第３ファン５３Ｆは、シロッコファンであり、図８、図１７に示すように、両側に吸入口５３Ｆｉを有している。第３ファン５３Ｆは、ヒートシンク１０Ｈの前方で、一方の吸入口５３Ｆｉがダクト部材６１のファン収納部６１１に対向し、送出口（図示省略）がヒートシンク１０Ｈを向いて配置されている。このように、プロジェクター１は、第３ファン５３Ｆの送出口、ヒートシンク１０Ｈ、およびリアケース２４の排気口２４２が直線的に配置されている。なお、本実施形態の第３ファン５３Ｆは、ダクト部材６１側（＋Ｘ側）の吸入口５３Ｆｉの吸入量が、反対側の吸入口５３Ｆｉの吸入量より大きいタイプが用いられている。
【００９１】
第２ダクト部９は、左右方向において、互いに対向して配置されたダクト部材９１，９２が組み合わされて構成されている。第２ダクト部９は、第３ファン５３Ｆを収納すると共に、第３ファン５３Ｆの駆動により外気を導入し、第３ファン５３Ｆから送出された空気をヒートシンク１０Ｈに導くように形成されている。
【００９２】
ダクト部材９１は、第３ファン５３Ｆの−Ｘ側を収納するように形成されている。具体的に、ダクト部材９１は、図１７に示すように、第３ファン５３Ｆの−Ｘ側に位置する側面部９１ｓ、側面部９１ｓの前側端部および上下の端部から＋Ｘ方向にそれぞれ起立する前面部９１ｆ、上面部９１ｕ、および下面部９１ｄを有している。ダクト部材９１は、後側が開口し、ヒートシンク１０Ｈの＋Ｙ側の端部近傍まで延出している。そして、側面部９１ｓには、−Ｘ側の吸入口５３Ｆｉを露出させる開口部９１１が形成されている。
【００９３】
ダクト部材９２は、図８に示すように、第３ファン５３Ｆの＋Ｘ側を収納し、第１冷却系５１のダクト部材６１の一部が挿入されるように突出する導入口形成部９２Ａ、および導入口形成部９２Ａの後側に接続され、ダクト部材９１とで空気を導くガイド部９２Ｂを有している。
【００９４】
導入口形成部９２Ａは、図８に示すように、ダクト部材６１におけるファン収納部６１１の一部（側面部６１ｗおよび上面部６１ｕの一部）が挿入されるように突出している。そして、第３ファン５３Ｆは、第２ダクト部９内で、吸入口５３Ｆｉがファン収納部６１１の側面部６１ｗと対向して配置されている。
導入口形成部９２Ａは、ダクト部材９１の前面部９１ｆに倣う前面部９２ｆを有している。そして、この前面部９２ｆには、第２ダクト部９の内部と第１吸気口２２２（図３参照）とを連通させる導入口９２１が形成されている。導入口９２１は、第３ファン５３Ｆが駆動されることによって第１吸気口２２２に流入する空気を第２ダクト部９内に導入する。
【００９５】
ガイド部９２Ｂは、側面部９１ｓに対向し、ダクト部材６１の−Ｘ側に位置する側面部９２ｓ（図８参照）、ダクト部材９１の上面部９１ｕ、下面部９１ｄにそれぞれ倣う上面部９２ｕ（図１７参照）、下面部（図示省略）を有している。ガイド部９２Ｂは、ダクト部材９１と同様に、後側が開口し、ヒートシンク１０Ｈの＋Ｙ側の端部近傍まで延出している。
【００９６】
第３ファン５３Ｆが駆動されることによって、導入口９２１から第２ダクト部９内に導入された空気は、ダクト部材９１とガイド部９２Ｂとの間からヒートシンク１０Ｈに送出される。ヒートシンク１０Ｈを流通することによって温まった空気は、ヒートシンク１０Ｈの後方に位置する排気口２４２から本体部１Ａの外部に排出される。光源１１は、ヒートシンク１０Ｈが放熱されることによって温度上昇が抑制される。
このように、第３冷却系５３は、外気を取り込んで光源１１を冷却する。
【００９７】
以上述べたように、本実施形態に係るプロジェクター１によれば、以下の効果を得ることができる。
（１）プロジェクター１は、光変調装置３４を冷却する第１冷却系５１を備えている。そして、第１冷却系５１の流路６Ｓ（第１流路６Ｓａ、第２流路６Ｓｂおよび第３流路６Ｓｃ）は、投写光学装置３６の周囲のデッドスペースになりがちなスペースを有効に利用して形成されている。これによって、光変調装置３４を効率良く冷却しつつ、小型のプロジェクター１の提供が可能となる。
【００９８】
（２）第３流路６Ｓｃ内の熱は、複数の第１フィン５１２ｂが受熱し、第２フィン５１２ｃによって第３流路６Ｓｃの外部に放熱される。また、複数の第１フィン５１２ｂが第３流路６Ｓｃを流れる空気の流れる方向に沿って延出しているので、第３流路６Ｓｃ内の円滑な空気の流れを形成することが可能となる。したがって、第３流路６Ｓｃ内の熱を効率良く第３流路６Ｓｃ外に放熱するヒートシンク５１２が可能となる。
【００９９】
（３）複数の第１フィン５１２ｂは、先端が投写光学装置３６の外面（鏡筒３６１の外面）に沿うように、円弧状に形成されている。これによって、第１フィン５１２ｂを投写光学装置３６に近づけて形成し、第３流路６Ｓｃ内の熱を充分に受熱できる大きさの第１フィン５１２ｂの形成が可能となる。よって、投写光学装置３６からの飛び出し量を抑制して放熱性を確保するヒートシンク５１２の形成が可能となる。
【０１００】
（４）ヒートシンク５１２は、複数の第１フィン５１２ｂに熱伝導可能に接続された複数の第２フィン５１２ｃを有しているので、第３流路６Ｓｃの熱を効率良く外部に放熱させることが可能となる。
また、第１フィン５１２ｂが第３流路６Ｓｃにおける空気の流通方向（第１方向、Ｚ方向）に延出しているのに対し、第２フィン５１２ｃは、Ｚ方向に直交する方向に延出している。これによって、Ｚ方向の小型化を維持しつつ、充分な放熱性を有するように第２フィン５１２ｃに空気を流通させる構成が可能となる。
【０１０１】
（５）プロジェクター１は、複数の第２フィン５１２ｃに並設され、この複数の第２フィン５１２ｃに空気を送出する第２ファン５２Ｆを備えている。これによって、第２ファン５２Ｆおよび複数の第２フィン５１２ｃのコンパクトな配置が可能になると共に、第２ファン５２Ｆが送出する空気を充分に利用して複数の第２フィン５１２ｃの放熱を促進させることができる。よって、小型化を維持しつつ、光変調装置３４をさらに効率良く冷却できるプロジェクター１の提供が可能となる。
【０１０２】
（６）プロジェクター１は、複数の第２フィン５１２ｃに流通した空気を波長変換装置７０のフィン７２２に導く導風部を備えている。これによって、波長変換装置７０を冷却するためのファンを備えることなくこの波長変換装置７０を冷却することができる。よって、小型化を維持しつつ、光変調装置３４および波長変換装置７０を冷却できるプロジェクター１の提供が可能となる。
【０１０３】
（７）プロジェクター１は、第３ファン５３Ｆの送出口、ヒートシンク１０Ｈ、およびリアケース２４の排気口２４２が直線的に配置されているので、排気専用のファンを設けることなく円滑な排気が可能となる。
【０１０４】
（変形例）
なお、本発明は上述した実施形態に限定されず、上述した実施形態に種々の変更や改良などを加えることが可能である。
前記実施形態の第１冷却系５１は、第１ファン５１Ｆが第１ダクト部６内に配置されているが、送出口５１Ｆｅと連通する第１流路、吸入口５１Ｆｉと連通する第３流路を有するダクト部を構成し、このダクト部の外側に第１ファン５１Ｆが配置される構成であってもよい。
【０１０５】
前記実施形態の第１冷却系５１は、第１ファン５１Ｆがシロッコファンで構成されているが、軸流ファンで構成される態様であってもよい。
同様に、前記実施形態の第３冷却系５３は、第３ファン５３Ｆがシロッコファンで構成されているが、軸流ファンで構成される態様であってもよい。
また、前記実施形態の第３冷却系５３は、第３ファン５３Ｆが両側に吸入口５３Ｆｉを有しているが、ダクト部材６１側にのみ吸入口５３Ｆｉを有するファンを用いてもよい。
【０１０６】
流路６Ｓを構成する部材間にクッション部材等を配置し、流路６Ｓが密閉されるように構成してもよい。
【０１０７】
前記実施形態の第２フィン５１２ｃは、第１フィン５１２ｂが延出する方向に対して直交する方向に延出しているが、交差する方向であれば直交に限らず、鋭角となる方向に延出するように構成してもよい。
【０１０８】
ヒートシンク１０Ｈのベース部１０Ｈａ内にヒートパイプを配置する構成も可能である。
【０１０９】
前記実施形態の照明装置３０は、半導体レーザーを用いた光源１１で構成されているが、発光ダイオードを用いたものや、放電型の光源を用いた構成も可能である。
【０１１０】
光変調装置３４としては、透過型の液晶パネルに限らず、反射型の液晶パネルを利用したものや、マイクロミラー型の装置、例えば、ＤＭＤ（Digital Micromirror Device）等を利用したものを用いることが可能である。
【０１１１】
前記実施形態のプロジェクター１は、接続部１Ｃを有し、本体部１Ａと電源部１Ｂとが別体で構成されているが、接続部１Ｃを備えず、本体部１Ａと電源部１Ｂとが一体で構成された構成であってもよい。
【符号の説明】
【０１１２】
１…プロジェクター、６Ｓ…流路、６Ｓａ…第１流路、６Ｓｂ…第２流路、６Ｓｃ…第３流路、１１…光源、３４…光変調装置、３６…投写光学装置、３６Ａｘ…光軸、５１Ｆ…第１ファン、５１Ｆｅ…送出口、５１Ｆｉ…吸入口、５２Ｆ…第２ファン、７０…波長変換装置、７１…波長変換素子、７２…放熱部、５１２…ヒートシンク、５１２ａ…ベース部、５１２ｂ…第１フィン、５１２ｃ…第２フィン、５２０…ダクト部材（導風部）、７２２…フィン。
【図１】
2019040074.tif 000003
【図２】
2019040074.tif 000004
【図３】
2019040074.tif 000005
【図４】
2019040074.tif 000006
【図５】
2019040074.tif 000007
【図６】
2019040074.tif 000008
【図７】
2019040074.tif 000009
【図８】
2019040074.tif 000010
【図９】
2019040074.tif 000011
【図１０】
2019040074.tif 000012
【図１１】
2019040074.tif 000013
【図１２】
2019040074.tif 000014
【図１３】
2019040074.tif 000015
【図１４】
2019040074.tif 000016
【図１５】
2019040074.tif 000017
【図１６】
2019040074.tif 000018
【図１７】
2019040074.tif 000019